(57)【要約】　【課題】　傾倒や撓み変形が起き難い支柱と、支柱上端部に線状物を張架し易く、かつ該線状物が脱落し難い支柱及び該支柱を用いた栽培用具を提供すること。　【解決手段】　繊維強化熱硬化性樹脂層と該樹脂層の外周に形成された熱可塑性樹脂からなる被覆層とからなる二層構造中空パイプ１ａ、（２）熱可塑性樹脂からなる内層と繊維強化熱硬化性樹脂からなる中間層と熱可塑性樹脂からなる被覆層とからなる３層構造中空パイプ１ｂ、以上（１）、（２）のいずれかから選択される中空パイプ１と、前記中空パイプ１の上方開口部に取り付けられる栓２（２ａ，２ｂ）と、前記中空パイプ１の下方開口部に取り付けられる尖塔部３と、を備え、前記中空パイプ１の曲げ剛性が１２２０×１０７Ｎ・ｍ２〜１９６００×１０７Ｎ・ｍ２である栽培用支柱及びこの支柱を用いた栽培用具を提供する。　【選択図】　図１
2004141157.tif 000002
【特許請求の範囲】
【請求項１】
（１）繊維強化熱硬化性樹脂層と該樹脂層の外周に形成された熱可塑性樹脂からなる被覆層とからなる二層構造中空パイプ、（２）熱可塑性樹脂からなる内層と繊維強化熱硬化性樹脂からなる中間層と熱可塑性樹脂からなる被覆層とからなる３層構造中空パイプ、以上（１）、（２）のいずれかから選択される中空パイプと、
　前記中空パイプの上方開口部に取り付けられる栓と、
　前記中空パイプの下方開口部に取り付けられる尖塔部と、を備え、
　前記中空パイプの曲げ剛性が１２２０×１０７Ｎ・ｍ２〜１９６００×１０７Ｎ・ｍ２である栽培用支柱。
【請求項２】
前記栓には、線状物を担持するための凹溝が形成されていることを特徴とする請求項１記載の栽培用支柱。
【請求項３】
前記凹溝は、栓上面と栓外周壁に開口するとともに、前記線状物が定着する前記凹溝の底面領域には、前記栓を上方視したときの中心部から外周壁側に向けて、上方視扇状に徐々に口幅を広げる横溝が形成されたことを特徴とする請求項２記載の栽培用支柱。
【請求項４】
前記凹溝は、栓上面と栓外周壁に開口するとともに、該凹溝の対向する縦壁面のそれぞれからは、他方の縦壁面に向けて突出する凸部が形成されたことを特徴とする請求項２記載の栽培用支柱。
【請求項５】
前記凹溝の開口部は、栓上面に向かって徐々に口幅が広がるように形成されたことを特徴とする請求項２〜請求項４のいずれか一項に記載の栽培用支柱。
【請求項６】
請求項１〜５のいずれか一項に記載の栽培用支柱が並設され、該支柱間に線状物が張設されたことを特徴とする栽培用具。
【発明の詳細な説明】
【技術分野】
【０００１】
　本発明は、長芋その他の蔓性作物等の栽培に用いられる支柱と、この支柱を用いた栽培用具に関する。
【背景技術】
【０００２】
　支柱を所定間隔で地面に立設して、並設された各支柱間にネットなどの線状物等を張ることによって形成される栽培用具がある。例えば、長芋等の蔓性の作物を栽培するときに使用される栽培用具を挙げることができる。動物等の侵入を防止する際の獣害防止柵等も同様の構成のものがある。
【０００３】
　ここで、従来の栽培用具に使用される支柱には、一般に鋼管が使用され、この鋼管を地面に打ち込んで立設する作業が行われてきた。ところが、前記鋼管は重量が嵩むため、運搬や作業に手間がかかり、かつ腐食が避けられない。このため、本願出願人は、従来の支柱用鋼管に替わる内部中空の軽量合成樹脂製パイプを既に提案した。この合成樹脂製パイプは、鋼管に比べても強度的に遜色がなく、また腐食の心配がない。しかも軽量で作業がし易いため、建設又は土木工事用のコンクリート型枠支持管等や（例えば、特許文献１参照）、養殖筏用パイプにも採用されている（例えば、特許文献２参照）。
【特許文献１】特公平５−６１０９１号報（特許請求の範囲、第１図）
【特許文献２】実公平２−２４４６１号報（特許請求の範囲、第２図）
【発明の開示】
【発明が解決しようとする課題】
【０００４】
　前記合成樹脂製パイプを用いることによって、柵形成の作業性や柵の耐久性の改善は達成されたが、複数の支柱にネットなどの線状物を張設して栽培用具を形成する作業を行う場合や実際に栽培を行う場合においては、各支柱間の線状物にかかる作物による荷重や、風圧等に偏りがあると、支柱が傾倒したり撓み変形したりする場合があるという技術的課題や、支柱上端部に担持等される線状物が簡単に抜け落ちたり、外れたりし易いという技術的課題があった。
【０００５】
　そこで、本発明は、主に、作物の加重や風圧等の外力によって傾倒や撓み変形が起き難い支柱を提供するとともに、支柱上端部に線状物を張架し易く、かつ該線状物が脱落し難い支柱及び該支柱を用いた栽培用具を提供することを目的とする。
【課題を解決するための手段】
【０００６】
　上記課題を解決するために、本発明は、まず、（１）繊維強化熱硬化性樹脂層と該樹脂層の外周に形成された熱可塑性樹脂からなる被覆層とからなる二層構造中空パイプ、（２）熱可塑性樹脂からなる内層と繊維強化熱硬化性樹脂からなる中間層と熱可塑性樹脂からなる被覆層とからなる３層構造中空パイプ、以上（１）、（２）のいずれかから選択される「中空パイプ」と、前記中空パイプの上方開口部に取り付けられる「栓」と、前記中空パイプの下方開口部に取り付けられる「尖塔部」と、を備え、前記中空パイプの曲げ剛性が１２２０×１０７Ｎ・ｍ２〜１９６００×１０７Ｎ・ｍ２である栽培用支柱を提供する。
【０００７】
　この支柱は、軽量であるので運搬、立設作業が容易であり、また、強度も充分であるので、加重や風圧等の外力の影響で傾倒したり撓み変形したりすることがない。また、腐食の心配もないので、風雨に曝される野外設置用の支柱に好適である。
【０００８】
　なお、前記中空パイプの曲げ剛性が１２２０×１０７Ｎ・ｍ２（１２５×１０３ｋｇ・ｃｍ２）未満では、支柱の地面への立設間隔を狭くしても、強風によるしなり（撓み）が大きく、同剛性が１９６００×１０７Ｎ・ｍ２（２０００×１０３ｋｇ・ｃｍ２）を超えると、支柱の単位重量が増して運搬や作業がしづらくなり、また、剛性が過剰となって経済的でない。
【０００９】
　本発明における「曲げ剛性」は、次の方法で測定する。半径３０ｍｍの当接面を有する支点及び加重治具によって、パイプ外径の４０倍の支点距離及び曲荷重速度２０ｍｍ／分で中央集中三点曲げ試験を行い、その荷重−撓み曲線から算出する。これら曲げ剛性を満足できる支柱の外径は、長芋栽培用の場合、繊維強化熱可塑性樹脂層の厚みにもよるが、概ね１８ｍｍ〜４３ｍｍであり、長さは土中埋設部０．６〜１．２ｍ、地上部１．５〜２．４ｍ、全長２．１〜３．６ｍ程度である。
【００１０】
　次に、本発明では、上記栽培用支柱の栓に、線状物を担持するための凹溝を形成しておき、この凹溝に対して線状物を挿着する簡単な作業で、支柱上端に線状物を担持させることができるようにした。なお、本発明において「線状物」とは、鉄線（番線）、カラー鉄線、ワイヤーロープ、フィルムヤーン、モノフィラメントを撚り合わせたロープ、各種紐類を広く含む。
【００１１】
　さらに、前記凹溝を、栓上面と栓外周壁に開口するように形成するとともに、前記線状物が定着する前記凹溝の底面領域に、前記栓を上方視したときの中心部から外周壁側に向けて、上方視扇状に徐々に口幅を広げる横溝を形成するようにした。これによって、この線状物を担持した状態の支柱を回すことで、前記横溝がストッパー（はずれ止め）の役割を果たし、線状物が支柱栓上面から外れるのを防止できる。
【００１２】
　また、前記凹溝を栓上面と栓外周壁に開口形成するとともに、該凹溝の対向する縦壁面のそれぞれからは、他方の縦壁面に向けて突出する凸部を形成することによって、前記凸部がストッパー（はずれ止め）の役割を果たし、線状物が支柱栓上面から外れるのを防止することもできる。
【００１３】
　そして、前記栓に形成された凹溝の開口部を、栓上面に向かって徐々に口幅が広がるように形成することによって、線状物を凹溝内に導入し易く工夫した。
【００１４】
　本発明では、上記構成の栽培用支柱が間隔を置いて並設され、各支柱間に線状物が張設された栽培用具を提供する。この栽培用具は、畑等の野外での組み立て作業が容易であるという特徴がある。また、作物の茎や蔓が巻き付く等して荷重がかかることになるネットを支持する線状物を、複数の支柱の上部でスライド可能に担持し、支柱間の線状物への荷重をより均等化することに成功した。これにより、一部の支柱間の線状物に局部的に荷重がかかって、支柱が傾倒、撓み変形、折損等することがなく、継続的にネットが張られた状態を維持できるようになった。
【発明の効果】
【００１５】
　本発明に係る栽培用支柱は、軽量であるので、その運搬や設置作業が容易であり、また、腐食の心配がなく耐久性にも優れている。特に、土中でも腐食せず、土塊も付き難いので、引抜作業も容易であり、従来の鋼管使用時のようにスコップでの掘り返しや機械を使用しての作業を要しない。
【００１６】
　また、充分な強度と剛性を有することから、設置作業時や使用に際して折損等の心配がない。更には、従来の鋼管製の支柱と異なって、適度な弾力性（可撓性）と形状復元性を備えている。
【００１７】
　また、本発明に係る栽培用支柱は、支柱上端部に線状物を張架し易く、かつ該線状物が脱落し難い。この支柱を、間隔を置いて並設することにより形成された栽培用具では、線状物及びネットを常に張った状態にしておくことができるので、長芋などの蔓性作物の栽培に特に適する。
【発明を実施するための最良の形態】
【００１８】
　以下、添付図面に基づいて、本発明に係る柵用支柱の好適な実施形態について説明する。まず、図１は、同支柱の全体構成（一部省略）を表す正面図である。
【００１９】
　本発明に係る栽培用支柱Ｌ（以下、「支柱Ｌ」と略称する。）は、円柱状の中空パイプ１と、この中空パイプ１の上方開口部に取り付けられる栓２と、この中空パイプ１の下方開口部に取り付けられる、下方に向けて尖った形状をなす尖塔部３と、を備えている。なお、図１中の符号２１，３１は、パイプ１の中空部１０４（図２参照）に嵌入する凸部を表している。
【００２０】
　尖塔部３は、下方に向けて徐々に窄んで尖った形状を備えていればよく、テーパーの角度や長さは、自由に選択決定できる。この尖塔部３は、その先が尖った形状を備えていることにより、支柱Ｌを地面にさし入れ易くしている。
【００２１】
　前記中空パイプ１の長さは、目的に合わせて適宜決定できるので特に限定はなく、中空パイプ１に対する栓２及び尖塔部３の取り付け方法は、水密性と固定強度が確保できる方法が好ましく、熱溶着、摩擦溶着、接着剤による接着等を種々採用できる。
【００２２】
　中空パイプ１は、平滑な表面を備える単純円柱状のパイプとして形成してもよいが、パイプ長手方向に突起部１１を所定間隔で配列しておくか、表面にエンボス加工を施した構成が望ましい。この突起部１１あるいはエンボスは、支柱Ｌを手で把持しながら地面に立設する時、又は線状物を支柱Ｌ，Ｌ間に張設するときに、立設作業あるいは張設作業を容易,確実化できるという機能を発揮する。なお、本発明において「突起部」にはエンボス形態も含まれるものとする。
【００２３】
　突起部１１は、中空パイプ１の周方向所定間隔で配列すればよく、配列数に特に限定はないが、例えば、二列とすれば、合成樹脂の成形加工が容易な範囲で、手の滑り防止機能を必要充分に発揮させることができるので好適である。突起部１１の形状自体も特に限定はなく、手の滑り防止機能を発揮できる形状であればよい。
【００２４】
　また、エンボスも表面の熱可塑性樹脂被覆層にエンボスを有する熱ローラーを当接するなどして、熱ローラーのエンボスパターンを転写すれば良く、前記の突起と同様に支柱の外周にニ列程設ければ、滑り防止の効果は発揮できる。
【００２５】
　続いて、図２は、同支柱を構成する中空パイプの層構造の第一実施形態を表す図１中Ｉ−Ｉ線矢視水平断面図である。
【００２６】
　まず、この中空パイプ１ａは、相互に密着接合した内層１０１、中間層１０２、被覆層１０３からなる計三層構造を有する。内層１０１と被覆層１０３は、ともに熱可塑性樹脂、特に好適にはＡＢＳ樹脂から形成されており、中間層１０２は、繊維強化熱硬化性樹脂（ＦＲＰ）から形成されている。なお、図２中の符号１０４は、中空部を表している。
【００２７】
　ここで、中空パイプ１ａは、内層パイプの押出機により、ＡＢＳ樹脂を環状に押し出して、内層１０１を形成し、この内層１０１の外周にガラス繊維ロービングにスチレンを架橋成分として含む不飽和ポリエステル樹脂を含浸して縦添えし、その外周を環状に成形して、未硬化状態の中間層１０２を形成し、これを被覆層用の押出機のクロスヘッドに挿通する。
【００２８】
　被覆層１０３用の押出機においては、所定形状の突起を有するダイからＡＢＳ樹脂を環状に押し出して、中間層１０２の外周を被覆し、その被覆層１０３を冷却固化した後、加熱炉に導いて中間層１０２の不飽和ポリエステル樹脂を硬化させる。
【００２９】
　前記突起を有するダイおよび突起部を所定ピッチで押圧する賦形ギヤを当接することによって被覆層１０３の外周には、突起部１１が所定間隔で形成される。以上により製造できる中空パイプ１ａとして、例えば、外径２６ｍｍ、単位重量３００ｇ／ｍ、曲げ強力５５０Ｎ、曲げ剛性２０６０×１０７Ｎ・ｍ２からなる仕様のものが得られる。なお、この中空パイプ１は、長芋栽培用の支柱として現在市販されている金属製パイプ（農ビ被覆鋼管）の単位重量５５０〜６００ｇ／ｍと比較して、明らかに軽量である。
【００３０】
　ここで、内層１０１及び被覆層１０３に用いたＡＢＳ樹脂と、中間層１０２に用いたスチレンを架橋成分とする不飽和ポリエステル樹脂とは、未硬化状態において相溶性があるので、この３層は極めて強固に接着接合し、外力に対して三層１０１，１０２、１０３が協働して優れた強力、剛性を発揮する。
【００３１】
　中間層１０２に使用する補強用繊維は、ガラス繊維が一般的であるが、炭素繊維、芳香族ポリアミド繊維、ポリエステル繊維、ビニロン繊維など、ＦＲＰに用いられる慣用の他の繊維であってもよい。
【００３２】
　また、中間層１０２に使用する熱硬化性樹脂は、不飽和ポリエステル樹脂、エポキシ樹脂などを採用でき、特に、スチレンを架橋成分とする不飽和ポリエステル樹脂が好適である。
【００３３】
　内層１０１及び被覆層１０３に使用する熱可塑性樹脂は、中間層１０２において採用される未硬化の樹脂と相溶性を有するものであれば、中間層１０２が硬化した後において、各層１０１〜１０３が相互に接着接合して、強度の高い中空パイプ１を得ることができる。
【００３４】
　なお、熱可塑性樹脂と熱硬化性樹脂の組み合わせ例を挙げると、スチレンを誘導体の成分として含むＰＳ樹脂、ＡＢＳ樹脂、ＡＥＳ樹脂、ＡＳ樹脂、ＡＡＳ樹脂などのスチロール系樹脂と、スチレンを架橋性モノマーとする不飽和ポリエステル樹脂との組み合わせがある。他の例としては、アクリル系の熱可塑性樹脂と、アクリル酸系の架橋性モノマーを含む不飽和ポリエステル樹脂との組み合わせがある。
【００３５】
　なお、本発明においては、図３で示されたような二層構造の中空パイプ１ｂも採用できる。即ち、前記中間層同様の材料構成である繊維強化熱硬化性樹脂層１０２とこの樹脂層１０２の外周に形成された熱可塑性樹脂からなる被覆層１０３とからなる二層構造中空パイプである。この中空パイプ１ｂは、慣用の引板成形により繊維強化熱硬化性樹脂パイプを製造した後、このパイプの外周に接着層を塗布するか或いは接着性樹脂で被覆することによって製造できる。
【００３６】
　中空パイプ１ａや１ｂに取り付けられる栓２や尖塔部３は、高い強度が得られるＡＢＳ樹脂等の樹脂単体で、慣用の成形方法で、図示された形状に製造すればよい。
【００３７】
　以下、添付した図４〜図１０に基づいて、本発明に係る支柱Ｌの上端に設けられる栓の第一実施形態（符号２ａ）について詳しく説明する。なお、図４は、栓２ａの上方視（矢印Ｘ方向から見た）平面図、図５は、栓２ａの側方視正面図、図６は、栓２ａの下方視（矢印Ｙ方向から見た）底面図、図７は、栓２ａの図４中のＩＩ−ＩＩ線矢視縦断面図、図８は、栓２ａの図５中のＩＩＩ−ＩＩＩ線矢視水平断面図、図９は、栓２ａの図５中のＩＶ−ＩＶ線矢視水平断面図である。そして、図１０は、線状物４が栓２ａの横溝２３２に定着した状態を、栓２ａを水平断面にした状態で示す図である。
【００３８】
　なお、線状物としては、鉄線（番線）、カラー鉄線、ワイヤーロープ、フィルムヤーンやモノフィラメントを撚り合わせたロープ状物、各種紐類等から、栽培ネットに負荷される蔓等の荷重や風圧等に耐える強度、耐候性等を勘案して選択すれば良い。
【００３９】
　まず、栓２ａは、中空パイプ１の中空部１０４（図２、図３参照）に嵌入される部分となる、内部中空である外観略円柱状の凸部２１を備える。この凸部２１の外周壁には、縦方向に延びる条溝２１１と条山２１２が周方向に所定間隔で形成されている（図５、図６参照）。
【００４０】
　凸部２１の外周壁に条溝２１１を形成したことによって、該凸部２１を中空パイプ１の中空部に嵌入するに際して、該条溝２１１に接着剤を保持した状態となり、接着剤が凸部２１と中空パイプ１との界面に確実に存在することになるので、両者の接着を確実にすることができる。なお、図６の符号２１３は、凸部２１の中空部を表している。
【００４１】
　次に、栓２ａは、前記凸部２１よりも一回り口径が大きい略円柱状の頭部２２を備える。この頭部２２は、栓２が中空パイプ１に接着されたときに、外側に露出する部分である。
【００４２】
　前記頭部２２には、線状物４を担持する役割を果たす凹溝２３が設けられている。この凹溝２３は、栓２の直径方向に形成され、栓２ａの上面２２１及び外周壁２２２に開口している。この凹溝２３は、栓２の上面２２１に向かって徐々に口幅Ｗ１（図７参照）が広がるように形成されている。即ち、凹溝２３の垂直縦断面形状（図７参照）が略Ｙの字状をなすように上面２２１に開口し、線状物４を凹溝２３内に導入し易くしている。
【００４３】
　この凹溝２３の底面２３１領域には、前記栓２ａを上方視したときの中心部Ｃ（図４参照）から外周壁２２２側に向かって、上方視扇状に、周方向に徐々に口幅Ｗ２を広げる横溝２３２が形成され、この横溝２３２は栓２の外周壁２２２に開口している（特に、図８参照）。
【００４４】
　最上方の線状物４は、栓２ａの凹溝２３の上方開口部２３４から挿入され、下方の前記横溝２３２に定着して収容される。図１０は、線状物４が栓２ａの横溝２３２に定着した状態を、栓２ａを水平断面にした状態で示している。なお、図１０に示された仮想線は、栓２ａの上面２２１の上方開口部２３４を表している。
【００４５】
　凹溝２３に線状物４が挿着されただけの図１０に示されたような状態では、線状物４は、上方へ引き上げられると、凹溝２３から抜け出てしまうおそれがある。また、この状態では、線状物４のテンションが充分でない場合もある。
【００４６】
　そこで、図１１に示す矢印Ｒ方向（又はその反対方向）に支柱Ｌを回すと、線状物４は、扇状に口幅を広げる横溝２３２に嵌り込むようにして引っ張られていき、上方視略Ｚ字状に屈曲し（図１１参照）、その結果、線状物４のテンションが強められる。
【００４７】
　図１１に示された状態では、この図１１の矢印Ｚ方向から見た栓２ａ周辺の正面図である図１２を参照するとより理解できるように、線状物４は横溝２３２に嵌り込んで、テンションが強まった状態となっている。このため、線状物４が上方へ引き上げられても、横溝２３２の上壁２３２ａ（図７参照）がストッパーとして機能するので、線状物４が凹溝２３から抜け出ることがなくなる。
【００４８】
　ここで、図１３は、並設された支柱Ｌを上方から見たときの図であって、線状物４が各栓２ａの凹溝２３に担持されて直線状に架け渡された状態を示す図である。一方の図１４は、各支柱Ｌを所定角度回すことによって、線状物４のテンションが強められた状態を誇張して示している。なお、図１３、１４において栓２ａは、図８に対応する水平断面状態で示されている。
【００４９】
　次に、図１５〜図１７に基づいて、本発明に係る支柱Ｌの上端に設けられる栓の第二実施形態（符号２ｂ）について詳しく説明する。なお、図１５は、栓２ｂの上方視（図１６の矢印Ｘ方向から見た）平面図、図１６は、栓２ｂの側方視正面図、図１７は、図１６中のＰ部拡大図である。栓２ｂの下方視底面の形態は、栓２ａと同様であるので図面に基づく説明を割愛する（図６参照）。
【００５０】
　この栓２ｂの凹溝２３は、栓上面２２１と栓外周壁２２２に開口するとともに、該凹溝２３の対向する縦壁面２３５，２３６のそれぞれからは、他方の縦壁面に向けて突出する凸部２３５１，２３６１が形成されている。凸部２３５１，２３６１は、図１５に示されているように、互いに対向しない位置に形成されているため、線状物４が上方から挿着し易い隙間が形成されている。
【００５１】
　また、図１７に示すように、凸部２３６１の上面２３６１ａは、上方に向けて末広がるテーパー形状を備えており、かつこの上面２３６１ａは、凹溝２３の上方開口部２３４の斜面２３４ａと面一に形成されている。なお、凸部２３５１についても、拡大図面で説明しないが、これと同様の構成を備えている。
【００５２】
　この構成により、線状物４は、前記斜面２３４ａと上面２３６１ａで形成される面一の斜面をすべるように、上方開口部２３４から線状物４凹溝２３の底面２３１方向へ向けて挿入されるようになる（図１７中の矢印Ｑ参照）。一旦、凹溝２３の底面２３１（図１６参照）へ定着された線状物４は、凸部２３５１と２３６１がストッパーとなって、上方に持ち上げられても容易に凹溝２３から抜け落ちしないようになる（図１６参照）。
【００５３】
　以下、図１８に基づいて、本発明に係る栽培用具Ｆの実施形態について説明する。なお、図１８は、同栽培用具Ｆの一部正面図である。
【００５４】
　栽培用具Ｆは、支柱Ｌを必要本数だけ畑などに並設する。具体的には、支柱Ｌ下端の尖塔部３周辺を所定長だけ地中Ｇにさし込み、支柱Ｌを所定間隔で立設する。
【００５５】
　これら立設された支柱Ｌの各上端に設けられた栓２（２ａ又は２ｂ）の凹溝２３に対して、ネット５が取り付けられている線状物４を入れ込む。そして、各支柱Ｌを回してネット５を張設する。例えば、線状物４を凹溝２３の底面２３１領域に設けられた横溝２３２（図５参照）に嵌め込むようにして、ネット５を張設する。
【００５６】
　このようにして形成された栽培用具Ｆは、線状物４が支柱Ｌ（の凹溝２３）から抜け出てしまうことがないので、ネット５は常に張設された状態で保持さ
れる。なお、本発明において、図１８のように、ネット５を張設した後、各支柱Ｌの上端をトワイン、ベーラー紐等で前後方向に連続的に結べば、支柱Ｌの揺れは防止され、従来の鋼管より剛性は必ずしも高くはないが、２６φ程度の口径の支柱でも使用可能となる。
【産業上の利用可能性】
【００５７】
　本発明に係る栽培用支柱は、軽量であるので、その運搬や設置作業が容易であり、また、腐食の心配がなく耐久性にも優れているので、作物栽培用の支柱として利用できる。特に、土中でも腐食せず、土塊も付き難いので、引抜作業も容易であり、従来の鋼管使用時のようにスコップでの掘り返しや機械を使用しての作業を要しない。また、充分な強度と剛性を有することから、設置作業時や使用に際して折損等の心配がない。更には、従来の鋼管製の支柱と異なって、弾力性（可撓性）と形状復元性を備えている。
【００５８】
　また、本発明に係る栽培用具は、支柱上端部に線状物を張架し易く、かつ該線状物が脱落し難い。この支柱で形成された栽培用具では、線状物及びネットを常に張った状態にしておくことができるので、長芋等の蔓性の作物を栽培する場合などに特に適している。
【図面の簡単な説明】
【００５９】
【図１】本発明に係る柵用支柱（Ｌ）の全体構成（一部省略）を表す正面図である。
【図２】同支柱（Ｌ）を構成する中空パイプ（１ａ）の層構造を表す図１中Ｉ−Ｉ線矢視水平断面図である。
【図３】同支柱（Ｌ）を構成する中空パイプ（１ｂ）の層構造を表す図１中Ｉ−Ｉ線矢視水平断面図である。
【図４】栓（２ａ）の上方視（矢印Ｘ方向から見た）平面図である。
【図５】栓（２ａ）の側方視正面図である。
【図６】栓（２ａ）の下方視（矢印Ｙ方向から見た）底面図である。
【図７】栓（２ａ）の図４中のＩＩ−ＩＩ線矢視縦断面図である。
【図８】栓（２ａ）の図５中のＩＩＩ−ＩＩＩ線矢視水平断面図である。
【図９】栓（２ａ）の図５中のＩＶ−ＩＶ線矢視水平断面図である。
【図１０】線状物（４）が栓（２ａ）の横溝（２３２）に定着した状態を、栓（２）を水平断面にした状態で示す図である。
【図１１】支柱（Ｌ）を回して線状物（４）にテンションをかけた状態を示す図である。
【図１２】図１１の矢印Ｚ方向から見た栓（２）周辺の正面図である。
【図１３】並設された支柱（Ｌ）を上方から見たときの図で、線状物（４）が各栓（２ａ）の凹溝（２３）に担持されて直線状に架け渡された状態を示す図である。
【図１４】並設された各支柱（Ｌ）を所定角度回すことによって、線状物（４）のテンションを強めた状態を示す図である。
【図１５】栓（２ｂ）の上方視（図１６の矢印Ｘ方向から見た）平面図である。
【図１６】栓（２ｂ）の側方視正面図である。
【図１７】図１６中のＰ部拡大図である。
【図１８】本発明に係る栽培用具（Ｆ）の一部正面図である。
【符号の説明】
【００６０】
　Ｌ　栽培用支柱（支柱）
　１（１ａ，１ｂ）　中空パイプ
　２（２ａ，２ｂ）　栓
　３　尖塔部
　４　線状物
　１０１　内層
　１０２　中間層
　１０３　被覆層
　２２１　（栓２の）上面
　２２２　（栓２の）外周壁
　２３　凹溝
　２３１　（凹溝２３の）底面
　２３２　横溝
　２３４　（凹溝２３の）上方開口部（Ｙの字状）
　２３５，２３６　（凹溝２３の対向する）縦壁面
　２３５１，２３６１　凸部
　Ｃ　中心部
　Ｆ　栽培用具
【図１】
2004141157.tif 000003
【図２】
2004141157.tif 000004
【図３】
2004141157.tif 000005
【図４】
2004141157.tif 000006
【図５】
2004141157.tif 000007
【図６】
2004141157.tif 000008
【図７】
2004141157.tif 000009
【図８】
2004141157.tif 000010
【図９】
2004141157.tif 000011
【図１０】
2004141157.tif 000012
【図１１】
2004141157.tif 000013
【図１２】
2004141157.tif 000014
【図１３】
2004141157.tif 000015
【図１４】
2004141157.tif 000016
【図１５】
2004141157.tif 000017
【図１６】
2004141157.tif 000018
【図１７】
2004141157.tif 000019
【図１８】
2004141157.tif 000020